Podtech/llm-jp-corpus-v4-ja_patent huggingface dataset:
(57)【要約】【課題】本発明は、小型で安価な敷設面積を少なくした、皿面型太陽光発電能力の発揮構成するフレックス太陽電池素子及び皿面型太陽光発電装置を提供する。発電効率の高い発電素子の集光体の製造方法であり、一体構成の発明によって安定供給、安価な製造方法を提供する。【解決手段】発電効果をたかめるソーラーパネル面を平板型に限らずフレックスな凸凹面、反射を取り入れた敷設面積の増大成形によって、反射発電効率の高い発電量を得ることができる一体構成の製造物。【選択図】図１
2011049510.tif 000002
【特許請求の範囲】
【請求項１】
ソーラーパネル面の敷設を、皿面型に成形し、太陽光の吸収、反射光の吸収を多重としたフレックス太陽電池素子の製造方法。
【請求項２】
上記を複数に構成し、光の入射角度の効率を取り入れ、ソーラーパネル面の敷設を特徴としたフレックス太陽電池素子の製造方法。
【請求項３】
上記を小型化し、降雪や強風を考慮した、単一、複数の、皿面型ソーラーパネル面の敷設を特徴としたフレックス太陽電池素子の製造方法。
【請求項４】
上記の記載の製造方法において、皿面型ソーラーパネルの敷設をフレックスに成形することを特徴とした太陽電池素子の製造方法。
【請求項５】
フレックス太陽電池素子の集合配置の製造方法において請求項１から４を含み、本発明の趣旨構造を逸脱しない範囲の変更は本発明に含まれる。
【発明の詳細な説明】
【技術分野】
【０００１】本発明は、太陽光発電パネルを構成する素子、集合セル配置に関し、受光面に太陽光を効率よく集光する、皿面型太陽光発電装置に関する。【０００２】本発明は、小型、安価な太陽光発電に関する。【０００３】本発明は、太陽光照明発電装置に関する。
【背景技術】
【０００４】従来、太陽光発電装置は、平板型ソーラーパネル構成をなしているが、平面集光の発電量は、小型化追及には、比表面積効果を高めセルの効率を高める必要がある。しかし、コストは高値で推移しており近い将来の普及を鑑みると安値傾向は困難であり、安定供給で安価な製造プロセスのタイミングにきている。【０００５】上記背景には、太陽光の単位面性に対しエネルギー密度の低さから発電面積が現状段階では、求める発電量に対して装置が大型化している。よって、販売価格が高値になり普及が困難になっている。【０００６】そのため、太陽電池の製造作業工程において、製造原価がビズネスチャンスに結び付く価格と、技術の進化によって、売れる価格設定が望まれる。【０００７】好ましくは、受光面に太陽光が効率良く入射構造に転換することで、一体構造原価の問題解決となる。【０００８】背景技術は、フレックス太陽電池素子及び集合配置の進化による、皿面型太陽光発電装置の提案。
【発明の開示】
【発明が解決しようとする課題】
【０００９】上記の問題を鑑みて、本発明の、太陽移動の太陽光集光の効率を最大限可能とし、性能、効果の小型化した構造の安価なフレックス太陽電池素子、皿面型太陽光発電装置を特徴とする。【００１０】本発明は、小型化の多重効果、入射効率を高めた単位面積の増加技術の提供で有効性をもって問題解決をはかる。【００１１】従って、高額な太陽電池の価格が普及率の妨げになっており、製造工程において安価な製造方法を提供目的とする。
【課題を解決するための手段】
【００１２】本発明は、上記課題を達成するため、生産性向上に寄与すべき製造方法の一体構成を特徴とする。【００１３】その課題は、小型の発電能力の最大限発揮できる、皿面型太陽光発電装置の提供にある。
【発明の効果】
【００１４】本発明による太陽光発電の発電効率の高い発電素子の受光面に、皿面型から反射を受光とした平面または凸凹面の反射板の配設を採用することで、太陽光の集光増加が得られる。よって、従来の大型受光面を短縮可能とすることで狭いスペースの設置を可能とし、作業効率が高められる。施工期間の短縮から低価格の処理費用で済む。【００１５】このように一体構成の作業が容易であり、従来の単一、複雑をなす作業を効率、効果的に発揮される。【００１６】本発明の特徴は，一体化構造のフレックス太陽電池素子、皿面型のフレックスに太陽光発電装置とする安価な製造を特徴とした。【００１７】本発明は、上記作業の安全性、作業効率の向上、量産の向上がはかられ経済的である。
【発明を実施するための最良の形態】
【００１８】本発明の実施形態の一体構成は本実施形態に限定されるものではなく要旨の逸脱しない範囲の設計変更は本発明に含む。【００１９】上記実施形態については、例えば、セルの効率、パネルの構造、ボルト、溶接固定等、一体化構造の範囲の設計製造を述べている。【００２０】請求項１から４記載の発明では、皿面型ソーラーパネル面の敷設の特徴としたフレックス太陽電池素子の製造方法。【００２１】請求項５記載の本発明の構成方法は、フレックス太陽電池素子の集合配置による効率、効果、量産効果等、作業が安全に効率よくでき，工期も短縮ができ経済的であることを特徴とする。
【産業上の利用可能性】
【００２２】本発明は、フレックス太陽光発電素子及び皿面型太陽光発電装置の製造方法に関する。構造の効率、コスト削減的、しかも、簡易な構造で停電被害の解消になり産業上の無駄がない。【００２３】自然エネルギーの太陽光発電効果を屋外、屋内を含む公共施設、アパート、マンション、ビルディング、事務所、工場、公園、道路の街灯、橋の街灯等応用範囲は広い。
【図面の簡単な説明】
【００２４】
【図１】本発明の、皿面型の断面図
【図２】本発明の、皿面型の平面図
【符号の説明】
【００２５】１、皿面
２、集光面
３、集光反射受光面
４、太陽光、集光の光線想定
【図１】
2011049510.tif 000003
【図２】
2011049510.tif 000004
(57)【要約】【課題】夜間および悪天候下でも発電システムが可能となるように、いかなる場所、いかなる時間帯でも発電できる太陽光プラス燃料電池発電パネルユニットを提供する。【解決手段】太陽光発電パネル（１）の下部に燃料電池発電ユニット（２）のユニット化を特徴とする。【選択図】図１
2011049509.tif 000002
【特許請求の範囲】
【請求項１】
太陽光発電パネルと燃料電池発電ユニットの発電機能を設けた太陽光プラス燃料電池の発電パネルユニットである。
【発明の詳細な説明】
【技術分野】
【０００１】この発明は、地球温暖化対策の一環である発電システムの組合せによる太陽光プラス燃料電池発電パネルユニット関するものである。
【背景技術】
【０００２】従来、太陽光発電と燃料電池発電は、ｃｏｏｌ  ｅａｒｔｈエネルギー革新技術の発電分野で各々での製品化が行われており、太陽光発電パネルと燃料電池発電ユニットとは、発電機器および設置場所が異なる。
【発明の開示】
【発明が解決しようとする課題】
【０００３】これらには、各々次のような欠点があった。
（イ）太陽光発電は、夜間および雨天下での発電が出来ない。
（ロ）燃料電池発電は、天候に左右されず如何なる場所如何なる時間帯でも発電できるが、発電ユニットの設置場所を必要とする。
本発明は、以上の欠点をなくすためになされたものである。
【発明が解決しようとする手段】
【０００４】太陽光発電パネル（１）と燃料電池発電ユニット（２）の発電機能を組合せユニット化する。
本発明は、以上の構成よりなる太陽光プラス燃料電池の発電パネルユニットである。
【発明の効果】
【０００５】本発明は、太陽光発電パネル（１）と燃料電池発電ユニット（２）発電機能を組合せることにより各々の有する欠点をなくすと共に利点を高めことが出来る。
（イ）太陽光発電システムは、夜間および悪天候下での発電が出来ないが、燃料電池発電と併用することにより、如何なる場所如何なる時間帯でも発電が可能となる。
（ロ）燃料電池発電ユニットの設置場所が、太陽光発電パネル（１）と燃料電池発電ユニット（２）の組合せによる設置場所の共用化で、太陽光発電パネルとの併用設置となる。
（ハ）発電機能の組合せにより、配管、配線および設備機器の共有化を可能とし、発電エネルギーに対する付帯設備および工事費の削減が出来る。
【発明を実施するための最良の形態】
【０００６】以下、本発明を実施するための最良の形態について説明する。
太陽光発電パネル（１）の下部に燃料電池発電ユニット（２））設け、ユニット化する。
本発明は、以上のような構造である。
これを使用するときは、太陽光発電パネル（１）側を効率よく太陽光を受光出来る位置に設けることによって、いかなる場所いかなる時間帯でも発電が可能となる。
【図面の簡単な説明】
【０００７】
【図１】本発明の斜視図である。
【図２】本発明の断面図である。
【符号の説明】
【０００８】１  太陽光発電パネル
２  燃料電池発電ユニット
【図１】
2011049509.tif 000003
【図２】
2011049509.tif 000004
(57)【要約】【課題】公知の蓄光塗料により成形される物質体は、通常の明るさにおいては、鮮明効果があり、風雨や暗闇にも表面が発光し，可視を効果的に視認を効果的にできる蓄光反射材を提供する。【解決手段】低炭素可視材を公知の無色透明の塗料材を塗布することにより対象物質体は、さらに鮮明に可視され、さらに、日中の蓄光効果が夜間の可視物質体の利便性を発揮とする。【選択図】なし【特許請求の範囲】
【請求項１】
低炭素可視材に公知の無色透明の蓄光反射塗料を対象物質体に成形することを特徴とした。
【請求項２】
前記の対象物質体は、素材選択の汎用拡大を特徴とした。
【請求項３】
デザインに対応できる成形を特徴とした灯篭。
【請求項４】
本発明の趣旨を逸脱しない範囲の変更は、本発明に含まれる。
【発明の詳細な説明】
【技術分野】
【０００１】本発明は、設置される物質体に、光の当たる場所、光の当たらない場所に係わらず、日中の蓄光ならびに他からの光が照らされることにより蓄光効果の発揮される可視材を提供するもの。
【背景技術】
【０００２】従来の可視は、対象物質体に照射効果、工夫によってなされている。広告、看板等は、その都度なされている。複数の中においては、夜間の可視物質体の数は少なく明かりが消える都度に操作が多くなる不便さがあった。
【発明の開示】
【発明が解決しようとする課題】
【０００３】照明時の、ＯＮ，ＯＦ作業の解消、風雨や風にも安定し、効果的に対象物質体を照明することができる低炭素材を提供する。
【課題を解決するための手段】
【０００４】本発明は、無色透明の公知の塗料材を塗布されることによって、低炭素可視材を有することを特徴とした。
この蓄光塗料は、既存の繊維質、木質、フイルム等に使用可能を容易にすることができ、蓄光反射効果の利便性に優れている。
【発明の効果】
【０００５】低炭素可視材は，公道、私道の表示，ポール等広告、宣伝、建物、附帯物等における汎用に発揮され効果がある。【０００６】本体は好みの着色が可能なことから美観にも優れている。【０００７】デザインは必要に応じて、円形、多角形状に成型可能とし、自在にできる。【０００８】本体は、必要に応じて空気の通行孔の増加、好みの着色、好みの模様、デザインの創意によって可能となる。【０００９】塗布作業は，均一、容易であることからも低価格を特徴とした。【００１０】夜間、雨天に効果的に発揮され、取り扱いの注意を払わなければならない煩わしさもなく可視機能が保たれ構造上不良製品もなく安価に製造できる。
【発明を実施するための最良の形態】
【００１１】本発明の技術的形態の具現化は、太陽光、誘導光、蛍光灯等の光エネルギーを可視光に変換し、刺激停止においても、反復機能をもって発光続行を特性とする。
【発明を実施する為の最良の形態】
【００１２】公知の技術をもって、こうど技術を要しない成形であり、有る物を用いて最良の実施形態に組み入れた。
【００１３】本発明の実施形態の一体構成は汎用を特徴としており、本実施形態に限定されるものではなく、要旨の逸脱しない範囲の変更は本発明に含む。
【産業上の利用可能性】
【００１４】本発明は、可視範囲を容易にし、安心、安全、安価であることから汎用に利用でき、デザインや形状の多様性により観光、宣伝に活用できる。特に家庭や寺社仏閣においては、火災防止となる。
(57)【要約】【課題】水素と水を燃料とした内燃機関でのシリンダ燃焼室から排出された直後の排気ガス中のＮＯｘの生成を抑え低減する。【解決手段】水素と水を燃料として使用した内燃機関でのシリンダ燃焼室直後のエキゾーストマニホールド内に水噴射ノズルから水を連続で噴射する。水量はエンジン回転数及び負荷に応じて変化し電子的に制御する。いままでの内燃機関のＮＯｘの削減方法はシリンダ燃焼室やインテークマニホールド内部に装置を設けたものであったが、エキゾーストマニホールド内に装置を設け、ＮＯｘの削減を図る。【選択図】図１
2011226355.tif 000002
【特許請求の範囲】
【請求項１】
エキゾーストマニホールドに水噴射することを特徴とする、ＮＯｘ低減装置。
【請求項２】
前記水噴射は連続して噴射することにより排気ガス温度を急激に降下させ、窒素酸化物の生成を妨げることを特徴とする請求項１記載の水噴射装置。
【発明の詳細な説明】
【技術分野】
【０００１】
この発明は、燃料が水素と水である内燃機関のシリンダ燃焼室外での排気ガス中のＮＯｘを低減する装置に関する。
【背景技術】
【０００２】
従来のＮＯｘ低減技術はシリンダ燃焼室もしくは吸入路に装置が設けられたものである。
【先行技術文献】
【特許文献】
【０００３】
【特許文献１】特開２００９−１６８０３９号公報
【特許文献２】特表２００４−５１９５８３
【特許文献３】特開平１０−２６６８３１
【特許文献４】特開平０６−１１７２２３
【発明の概要】
【発明が解決しようとする課題】
【０００４】
しかしながら、以上の技術によれば、シリンダ燃焼室から排出直後のＮＯｘ低減をしていない。そこで、この発明は、シリンダ燃焼室から排出直後のＮＯｘ低減を提供すること
を課題とする。
【課題を解決するための手段】
【０００５】
以上の課題を解決するために、第一発明は、シリンダ燃焼室直後の排気路に水噴射することを特徴とする水噴射装置である。
【発明の効果】
【０００６】
第一発明によれば、シリンダ燃焼室直後に水噴射することにより、ＮＯｘの生成が抑えられた。
【図面の簡単な説明】
【０００７】
【図１】この発明の一実施形態を示す部分拡大図である。
【発明を実施するための形態】
【０００８】
この発明の一実施形態を、図１に示す。
シリンダ燃焼室から排気弁によってエキゾーストマニホールドに排出されたガスに水噴射ノズルから水を噴霧する。
【０００９】
「実施形態の効果」
この実施形態によれば、水噴射ノズル１３から噴霧される水により排気ガス温度が急激に降下し、シリンダ燃焼室外でのＮＯｘの生成が抑えられる。
【符号の説明】
【００１０】
１  エンジン          ２  シリンダ          ３  連接棒          ４シリンダライナ
５  ピストン          ６  ピストンリング          ７  燃焼室          ８  給気弁
９  排気弁          １０  シリンダヘッド          １１燃料          １２  燃料噴射弁          １３  水噴射ノズル          １４水          １５エキゾーストマニホールド
【図１】
2011226355.tif 000003
(57)【要約】【課題】  液晶プロジェクター等のファンから排気され、周辺の人体、および、物体に直接当たっていた放熱風を上方向に排気させるようにするための放熱排気直射防止筒を提供する。【解決手段】  前面下部に、液晶プロジェクター等のファンから排気される放熱を取り込む放熱風取込み口（２）を設け、筒本体（Ａ）の内部の空洞を通り、筒本体（Ａ）に設けた放熱風上部排気口（３）から、取り込んだ放熱風を排出させることで、周辺の人体、および、物体に直接放熱風が当たらないようにする。【選択図】図１
2011226752.tif 000002
【特許請求の範囲】
【請求項１】
筒本体（Ａ）に前面可動板（１）、放熱風取込み口（２）を設け、放熱風取込み口（２）から取り込んだ、放熱風を筒本体（Ａ）内部の空洞を通し、筒本体（Ａ）に設けた放熱風排気口（３）より排出することを特徴とする放熱排気直射防止筒。
【発明の詳細な説明】
【技術分野】
【０００１】  この発明は、液晶プロジェクターなどの映像表示装置において、筐体内部に設けたファンからの放熱風の風向を変更させるために用いる放熱排気直射防止筒に関するものである。
【背景技術】
【０００２】  従来の液晶プロジェクターなどの映像装置においては、筐体内部に設けたファンからの放熱風は真横、あるいは、後方にそのまま排出されており、周辺の人体や物体に放熱風が直接当たってしまっていた。
【発明の概要】
【発明が解決しようとする課題】
【０００３】  これは、次のような欠点があった。
ファンからの放熱風は真横、あるいは、後方にまっすぐに排出されるために、放熱風がファンの側面、あるいは、後方にいる人体等に直接当たってしまっていた。
そのため、放熱風の排気方向には人が座りにくく、また、書類等も置きにくい状況となっていた。
本発明は、以上のような欠点をなくすためになされたものである。
【課題を解決するための手段】
【０００４】  以上の課題を解決するために、第一実施例は、筒本体（Ａ）の前面上部に前面可動板（１）、前面下部に放熱風取込み口（２）、上部に放熱風上部排気口（３）、側面（４）、および、底面（５）を設けたことを特徴とする放熱排気直射防止筒である。
また、第二実施例は、液晶プロジェクター等の本体とは独立しているため、全ての液晶プロジェクター等に使用できることを特徴とする放熱排気直射防止筒である。
また、第三実施例は、駆動部を一切使用せず、筒本体（Ａ）の前面下部に設けた放熱風取込み口（２）から取り込んだ放熱風を放熱風上部排気口（３）から、液晶プロジェクター等の放熱風力のみで排気することを特徴とする放熱排気直射防止筒である。
また、第四実施例は、固定式タイプに加えて、持ち運び等を容易にするため、底面（５）を下方向に広げ、側面（４）を畳むことが可能な折り畳み式の二種類のタイプがあることを特徴とする放熱排気直射防止筒である。
また、第五実施例は、液晶プロジェクターの放熱風の排気口の高さに合わせて、前面可動板（１）を上下に可動できる機能を設け、放熱風取り込み口（２）の開口部の高さを可変させることを特徴とする放熱排気直射防止筒である。
【発明の効果】
【０００５】  第一実施例、第二実施例、第三実施例、第四実施例、または、第五実施例によれば、ファンからの放熱風の風向を変更する放熱排気直射防止筒により、液晶プロジェクター等の真横、および、後方に座った場合でも、ファンからの放熱風を直接受けることが無くなる。
また、折りたたむことにより、持ち運びも容易に可能となる。
【図面の簡単な説明】
【０００６】
【図１】  本発明の一実施形態を示した斜視図である。
【図２】  本発明の断面図である。
【図３】  本発明の前面可動板を上げた斜視図である
【図４】  本発明の前面可動板を上げた断面図である
【図５】  本発明の折りたたみのために底面を展開した斜視図である
【発明を実施するための形態】
【０００７】  この発明の第一実施の形態を、図１から図５に示す。
放熱排気直射防止筒の本体は中が空洞となった直方体、あるいは、円筒等の形状で、前面下部の放熱風取込み口（２）は放熱風取込みのために開放されている。
放熱風上部排気口（３）は前面下部の放熱風取込み口（２）より取り込んだ放熱風を上方向に排気するために開放されている。
前面上部（１）は、下部開口部の大きさを可変にするため上下に可動可能とされている。
図５のように、放熱排気直射防止筒の底面（５）を展開し、前面上部（１）、および、側面（４）を折りたたむことにより、簡便に放熱排気直射防止筒の本体を折りたたむことができる。
【発明の効果】
【０００８】  この実施の形態によれば、前面下部の放熱風取込み口（２）より取り込んだ放熱風は、放熱排気直射防止筒内部の空洞部を通って、放熱風上部排気口（３）より排出され、液晶プロジェクターの側面、後方等から排出される放熱風が周辺人体、および、物体等に直射されることがなくなる。
前面可動板（１）が上下に可動することにより、放熱風取込み口（２）の開口部が可変でき、あらゆる高さのファンに合わせて放熱を取り込むことが可能となる。
放熱排気直射防止筒を折りたたむことにより、簡便に持ち運びが可能となる。
【０００９】  図１、および図３、および、図４の実施の形態では、上部（１）は可動するものであったが、他の実施の形態では、可動しないものでも良い。
図１の実施の形態では、放熱風取込み口（２）の開口部、および、放熱風上部排気口（３）が四角形であったが、他の実施の形態では、その他の形状のものでも良い。
図５の実施の形態では、放熱排気直射防止筒の底面（５）を下方向に展開し、前面上部（１）、および、側面（４）を折りたたむものであったが、他の実施の形態では、その他の折りたたみ方法のものでも良い。
図５の実施の形態では、放熱排気直射防止筒は折りたためる物であったが、他の実施の形態では、折りたためないものでも良い。
【符号の説明】
【００１０】Ａ  筒本体
１  前面可動板
２  放熱風取込み口
３  放熱風上部排気口
４  側面
５  底面
【図１】
2011226752.tif 000003
【図２】
2011226752.tif 000004
【図３】
2011226752.tif 000005
【図４】
2011226752.tif 000006
【図５】
2011226752.tif 000007
(57)【要約】【課題】    三輪自転車は人力で走行するので各部品は、小型、軽量、が求められる。又三輪車製作会社では車輪幅差動装置と原動装置との位置関係で車軸の長さが異なるのでそれに対応しなければならない軸の指定を受けてから差動装置を制作していては非能率であるからこの問題を解決しなければならない。【解決手段】。    小型化の解決手段として太陽歯車を最小にする事である、それには車軸に直接歯切りする事で解決する、次に、軸に直接太陽歯車を歯切りして、ハウジングから車軸の抜き差しが自由にしてハウジングの端末に車軸が軸方向に位置設定の着脱可能なストッパーを設ける。差動装置本体はハウジングに遊星歯車だけを組み込んでおく。車軸はオップションとする以上によってハウジングに遊星だけを組み込んだ車軸無しの差動装置を製作しておいて製作費を低減【選択図】図２
2011226629.tif 000002
【特許請求の範囲】
【請求項１】
車輪軸の一端に直接歯切りした太陽歯車を向かい合わせのハウジング内で、互いに噛み合わせたる遊星歯車にそれぞれ噛み合わせてハウジングを結合、且つハウジングの端末にて、車輪軸を軸方向に位置設定の止め具を設けることを特徴とする三輪自転車の差動装置
【発明の詳細な説明】
【技術分野】
【０００１】    本発明は三輪自転車等の後二輪を差動装置を介して駆動走行する乗り物に関するものである。
【技術背景】
【０００２】    従来の平歯車で構成する差動装置では車輪軸に別製の歯車を取り付けて太陽歯車として遊星歯車とかみ合わせて差動効果を得ている。その結果内装歯車群が大となりハウジングの外径が大となり、又車体の関係で車軸を変更したい時、交換が困難である
【発明の開示】
【発明が解決しようとする課題】
【０００３】    三輪自転車は人力で走行するので可能な限り軽量で小型にする事と、又各種の形式の三輪車に装着の際、左右の車輪の間の差動装置の位置設定の変更が簡単に出来ない
【問題を解決する為の手段】
【０００４】    太陽歯車の径を最小にするには車軸に直接歯切りして、且つ、車軸をハウジングを分解せずに抜き差し可能にする。
【０００５】    以下図によって説明する。
図２に於いて車軸２ａ，２ｂの軸端に歯切りして太陽歯車と成し、ハウジング１ａ，１ｂの軸穴８ａ，８ｂに挿入され，ハウジングを向かい合わせて遊星歯車と互いに噛み合わせる様ハウジングを結合する。遊星歯車３ａ，３ｂは太陽歯車２ａａ、２ｂｂと接しないよう図４で見るよう歯の部分を削り落として３ａ１，３ｂ１の形とする。
【０００６】又遊星歯車３ａ、３ｂは、軸の両端に３ａ２，３ａ３，３ｂ２、３ｂ３、の軸を設けて図５と図８のハウジング１ａ，１ｂの  軸孔  １０，１１，１２，１３に挿入保持される事によって互いに噛み合い更に車軸の先端の太陽歯車２ａａ、２ｂｂとも噛み合い差動構造となる
【０００７】１０，１１と１２、１３のは軸孔は、車輪軸の軸孔左右８ａ、８ｂから対象の位置にありまた１ａ、１ｂにノックピン孔１７，１８と１９，２０を設けてズレ防止とする。
【０００８】このままでは左右車軸２ａ，２ｂは軸方向に奥に移動して歯車の噛み合わせを狂わせるか、又は逆に抜け落ちてしまうので、ハウジング１ａ、１ｂの端末に段室９ａ，９ｂを設け、一方車軸の設定位置にカラー４ａ，４ｂを６で固定して９ａ、，９ｂに納め、抜け落ち防止の１ｄ、１ｅをノックピンでハウジングに止めて軸を軸方向に固定する。
【発明の効果】
【０００９】    太陽歯車を車軸に歯付けた事で遊星歯車は限りなく太陽歯車に接近するので歯車群の外径が縮小し其の事によってハウジングの外径が小さくすることが可能になり、小型、軽量、コストダウンを実現できる。
【００１０】又太陽歯車の径が車軸と同一なので、抜け落ち防止を外せば差動装置本体から抜き差し自由であるから、本体を分解せずに好みの車軸を差し替えできる。従って差動装置本体だけを制作しておいて、軸はオプションで各人の注文の車軸長さを調達制作する事で本体だけを生産すればよく在庫負担を軽くする事ができる
【００１１】    又車軸を交換したい時は抜け落ち防止の１ｄ，，１ｅを外し、軸を抜き出して新しい車軸を差し替えることができる。
【発明を実施するために最良の形態】
【００１２】    車軸に位置設定のカラー４ａ，４ｂを固定してハウジングの軸孔８ａ，８ｂから車軸２ａ、２ｂを通し，抜け落ち防止の１ｄ、１ｅを取り付けて車軸を軸方向に固定する。
【００１３】    次にハウジングの１ａの遊星の軸孔１０に遊星３ａの軸３ａ３を挿入、次に３ｂの軸３ｂ２を１１に挿入する
【００１４】次にハウジングを向かい合わせ１ｂの軸孔１２に３ｂの軸３ｂ３を１１に遊星３ａの３ａ２を挿入しながらズレ防止の孔１５、１６  １７、１８を合わせてノックピンを挿入最後に１ａ、１ｂを複数個のボルト７にて締め付け１ａ、１ｂを固結する
【００１５】    ハウジングを連結した時太陽歯車は互いに他の遊星歯と噛み合わない様余裕距離を持って間隔をあける様カラー４ａ、４ｂの位置を設定するが肝要である。
【図面の簡単な説明】
【００１６】
【図１】差動装置を車輪に取り付け駆動の状態例
【図２】ハウジンを切断して内部構造を示す
【図３】左車軸に歯切りして位置設定のカラー取り付け
【図４】遊星の形状とハウジング内での噛み合わせの状態
【図５】左ハウジングの断面図と正面図で遊星の軸穴を示す
【図６】右車軸に歯切りして位置設定のカラー取り付け
【図７】左、右車軸の抜け落ちストッパー
【図８】右ハウジングの断面図と遊星の軸穴と駆動ギヤーを示す
【符合の説明】
【００１７】１ａ    左ハウジング
１ｂ、  右ハウジング
１ｃ    駆動ギヤー
１ｄ    左車輪軸抜け落ち止めキャップ
１ｅ    右車輪軸抜け落ち止めキャップ
２ａ    左車軸
２ａａ  左太陽歯車
２ｂ    右車軸
２ｂｂ  右太陽歯車
３ａ    左遊星歯車
３ａ１  左噛み合わせ接触逃げ
３ａ２  右軸
３ａ３  左軸
３ｂ    右遊星歯車
３ｂ１  右噛み合わせ接触逃げ
３ｂ２  左軸
３ｂ３  右軸
４ａ    左車輪軸位置設定カラー
４ｂ    右車輪軸位置設定カラー
５ａ    左ハウジング歯車室
５ｂ    右ハウジング歯車室
６      カラー位置設定止め孔
７      左右ハウジング連結ボルト
８ａ    左車軸孔
８ｂ    右車軸孔
９ａ    左位置設定カラー室
９ｂ    右位置設定カラー室
１０    左ハウジング遊星軸穴
１１    左ハウジング遊星軸穴
１２    右ハウジング遊星軸穴
１３    右ハウジング遊星軸穴
１４    車軸抜け落ちストッパーのノックピン孔
１５    ハウジング１ａ，と１ｂを連結の位置合わせのノックピン孔
１６    同上
１７    同上
１８    同上
【図１】
2011226629.tif 000003
【図２】
2011226629.tif 000004
【図３】
2011226629.tif 000005
【図４】
2011226629.tif 000006
【図５】
2011226629.tif 000007
【図６】
2011226629.tif 000008
【図７】
2011226629.tif 000009
【図８】
2011226629.tif 000010
(57)【要約】【課題】コンクリート埋設配管を行うに当たり、さまざまな決まりごとがありそれをクリアーするにはコンクリート打設前に多くの時間と労力を使い手直ししている。本発明はその時間と労力を削減するためにスラブ配管補助具を提供する。【解決手段】配管埋設時の配管同士の離隔距離の確保の簡素化を特徴とするスラブ配管補助具。【選択図】図１
2011226630.tif 000002
【特許請求の範囲】
【請求項１】
直線状の鉄の丸棒に所定の間隔を置いて、Ｕ字型の４本の配管受けを設け、４本の配管受けの反対側中間部に２本の鉄筋間隔保持用鉄の丸棒を設けたスラブ配管補助具。
【発明の詳細な説明】
【技術分野】
【０００１】本発明は、コンクリート埋設配管ＰＦ管に関するものである。
【背景技術】
【０００２】従来、コンクリート埋設配管を行うと、埋設時の決まりごとがありコンクリート打設前の確認に大変な思いをしていた。
【先行技術文献】
【０００３】
【特許文献】
【発明の概要】
【発明が解決しょうとする課題】
【０００４】コンクリート埋設配管の打設前の確認の時間の短縮化と検査の簡素化、労務費の削減。
本発明は以上の問題を解決するためになされたものである。
【課題を解決するための手段】
【０００５】上記問題点を解決するため本発明は、直線状の鉄の丸棒に所定の間隔を置いて、Ｕ字型の４本の配管受けを設け、４本の配管受けの反対側中間部に２本の鉄筋間隔保持用鉄の丸棒を設けたスラブ配管補助具である。
【発明の効果】
【０００６】従来打設前の確認に費やしていた時間と労力、労務費の削減が計れる。
【図面の簡単な説明】
【０００７】
【図１】本発明の全体図
【図２】本発明の全体図
【図３】本発明の使用状態を示す全体図
【発明を実施するための形態】
【０００８】以下、本発明の実施形態を説明する。
（イ）直線状の鉄の丸棒又は平鉄又はプラスチック（１）にＵ字型の配管支持金物鉄の丸棒又は平鉄又はプラスチック（２）を４箇所設ける。
（ロ）Ｕ字型配管支持金物鉄の丸棒又は平鉄又はプラスチック（２）は口元を外側に曲げている為に配管の落とし込みが容易である。
（ハ）Ｕ字型配管支持金物鉄の丸棒又は平鉄又はプラスチック４箇所（２）Ｕ字型の内側に配管を落とし込む。
（ニ）直線状の鉄の丸棒又は平鉄（１）にＵ字型配管支持金物を取付け反対側の中間部に鉄筋間隔保持用鉄の丸棒又は平鉄又はプラスチックを２本（３）取付ける。
（ホ）Ｕ字型配管支持金物鉄の丸棒又は平鉄又はプラスチック（２）４本の間隔により配管と配管の離隔が確保できる。
（ヘ）鉄筋間隔保持用鉄の丸棒又は平鉄又はプラスチック２本（３）の取付けにより配管と鉄筋の離隔が確保できる。
本発明は以上のような構造である。
【符号の説明】
【０００９】１  直線状の鉄の丸棒又は平鉄又はプラスチック
２  Ｕ字型配管支持金物鉄の丸棒又は平鉄又はプラスチック
３  鉄筋間隔保持用鉄の丸棒又は平鉄又はプラスチック
４  鉄筋
５  埋設配管
【図１】
2011226630.tif 000003
【図２】
2011226630.tif 000004
【図３】
2011226630.tif 000005
(57)【要約】【課題】  天井等の被固定材に対して、位置決め用ピンと差込み用ピンにて固定するもので、同位置に取り付けたり取り外し足りすることができず、不使用時には邪魔になることもある。また、石膏ボード等に直接打ち込んで物品等を吊り下げることには有効であるが、取り付け取り外しを使用する場合には不向きなものである。【解決手段】  折曲可能な線状の吊下げ本体の先端に係止部を形設し、この係止部より下方に伸びたアンカー部を形成する支持体を設けると共に、吊下げ本体と支持体を一定位置に保持する保持具を設けてなること。支持体の下端にストッパー部を設けること。保持具が、リング状であること。アンカー部を、輪状に形成すること。吊下げ本体及び支持体をワイヤーロープあるいは針金とすることを特徴とする。【選択図】図１
2011226627.tif 000002
【特許請求の範囲】
【請求項１】
折曲可能な線状の吊下げ本体の先端に係止部を形設し、この係止部より下方に伸びたアンカー部を形成する支持体を設けると共に、吊下げ本体と支持体を一定位置に保持する保持具を設けてなることを特徴とする吊下げ保持具。
【請求項２】
支持体の下端にストッパー部を設けたことを特徴とする請求項１記載の吊下げ保持具。
【請求項３】
保持具が、リング状であることを特徴とする請求項１又は２記載の吊下げ保持具。
【請求項４】
アンカー部を、輪状に形成することを特徴とする請求項１、２又は３記載の吊下げ保持具。
【請求項５】
吊下げ本体及び支持体をワイヤーロープあるいは針金とすることを特徴とする請求項１、２、３又は４記載の吊下げ保持具。
【発明の詳細な説明】
【技術分野】
【０００１】  本発明は、主に石膏ボードや薄いベニヤ等の孔に、取り付け、取り外しができる物品等を吊り下げる吊下げ保持具に関するものである。【０００２】  従来の技術として、天井等の被固定材に差し込むための差込み用ピンと、その被固定材に当接する当接部を形成した本体とを有し、上記被固定材に掲示物を吊り下げるための吊下げ具であって、上記本体には、この本体を被固定材に位置決めするための複数本の位置決め用ピンの各基端部が当設部内に埋設されているとともに、当設部に対して差込み用ピンを傾斜させ、かつ、その被固定材に差し込み可能に保持するピン保持部が形成されていることを特徴とする吊下げ具がある。（特許文献１参照）【０００３】  また、別の従来技術として、石膏ボード等に直接打ち込むべく、ピン本体に挿入孔を設けたピンと、該挿入孔に取り付ける火元からなることを特徴とする吊下具がある。（特許文献２参照）
【先行技術文献】
【特許文献】
【０００４】
【特許文献１】特開２００９−７４５９７号公報
【特許文献２】特開２００５−８３５６９号公報
【発明の概要】
【発明が解決しようとする課題】
【０００５】  上記前者のものは、天井等の被固定材に対して、位置決め用ピンと差込み用ピンにて固定するもので、同位置に取り付けたり取り外し足りすることができず、不使用時には邪魔になることもある。【０００６】  上記後者のものは、本発明者が以前出願してなるもので、石膏ボード等に直接打ち込んで物品等を吊り下げることには有効であるが、取り付け取り外して使用する場合には不向きなものである。【０００７】  本発明は、このような従来の構成が有していた問題を解決しようとするもので、吊下げ本体の係止部と支持部のアンカー部を、天井や壁等に使用される石膏ボードや薄いベニヤ等の孔に挿入し、下方に吊下げ本体を引き下げることにより孔に係止・固定し、物品等を吊り下げることができる吊下げ保持具を提供することを目的とするものである。
【課題を解決するための手段】
【０００８】  本発明は、上記目的を達成するために、折曲可能な線状の吊下げ本体の先端に係止部を形設し、この係止部より下方に伸びたアンカー部を形成する支持体を設けると共に、吊下げ本体と支持体を一定位置に保持する保持具を設けてなること。支持体の下端にストッパー部を設けること。保持具が、リング状であること。アンカー部を、輪状に形成すること。吊下げ本体及び支持体をワイヤーロープあるいは針金とすること。
【発明の効果】
【０００９】１）吊下げ本体の係止部と、支持体のアンカー部を天井（壁）の石膏ボードや薄いベニヤ等の孔に差し込み、吊下げ本体を下方に引き下げることにより孔上面にて係止・固定し、物品等を吊下げることができる。
２）支持体の下端にストッパー部を設けることにより、ストッパー部を押え吊下げ本体を確実・容易に引き下げることができる。
３）保持具を設けることにより、天井（壁）の下面（表面）にて吊下げ本体及び支持体を確実に保持できる。
４）アンカー部を輪状に形成することにより、アンカー効果を高めてなる。
５）吊下げ本体及び支持体をワイヤーロープあるいは針金とすることにより軽量の物品であれば、吊下げることができる。
【図面の簡単な説明】
【００１０】
【図１】  本発明の一実施例を示す吊下げ保持具の斜視図。
【図２】  本発明の一実施例を示す吊下げ保持具の第１使用状態図。
【図３】  本発明の一実施例を示す吊下げ保持具の第２使用状態図。
【図４】  本発明の一実施例を示す吊下げ保持具の最終使用状態図。
【発明を実施するための形態】
【００１１】  吊下げ保持具１は、折曲可能な線状のワイヤーロープあるいは針金による吊下げ本体２の先端に、半田付け等にて固着した係止部３を形設し、この係止部３に連結した下方に伸びた同様な材質のアンカー部４ａを形成する支持体４を設けると共に、吊下げ本体２と支持体４を一定位置に保持するリング状の保持具５を設けてある。
なお、支持体４の下端に球状のストッパー部４ｂを設けてある。
【００１２】  上記のように構成した吊下げ保持具１の使用例について説明する。
例えば、建物の天井Ｔ（石膏ボード等）に小径の孔Ｎをドリル（図示せず）等にて明ける。
その後、吊下げ保持具１を係止部３より挿入し、天井Ｔの下面に保持具５を当接すると共に、ストッパー部４ｂを指（図示せず）で押し上げておく。
この状態で、吊下げ本体２を引き下げることにより、天井Ｔの孔Ｎの上面に係止部３を係止・固定すると共に、支持体４のアンカー部４ａを形成させることにより、アンカー効果を高め、吊下げ本体２の下部に物品（図示せず）を吊下げることができる。
【００１３】  上記実施例において、吊下げ本体や支持体の径は、使用目的により決めればよい。
また、吊下げる物品は、特に限定するものではない。
【符号の説明】
【００１４】  １−−−吊下げ保持具
２−−−吊下げ本体
３−−−係止部
４−−−支持体
４ａ−−アンカー部
４ｂ−−ストッパー部
５−−−保持具
Ｔ−−−天井
【図１】
2011226627.tif 000003
【図２】
2011226627.tif 000004
【図３】
2011226627.tif 000005
【図４】
2011226627.tif 000006
(57)【要約】【課題】建物の敷地のスペースで既存のビルへの設置は困難なものもある。【解決手段】１棟ごとの設置では無く数棟のビルをまとめて設置し使用する。【選択図】図１
2011226454.tif 000002
【特許請求の範囲】
【請求項１】
本発明は、建物（２階建て以上の物）に設置し、設置した建物の高さを生かし、ニュートンの重力、アルキメデスの浮力、雨水などを用い化石燃料を使用しないエコな発電装置である。
【請求項２】
本発明は、建物上部に設置する、雨水等を溜め使用する水槽と、本体となる建物と同じ高さの水槽と鉄の空洞の球を落下と上昇による発電装置。
【請求項３】
本発明は、既存の自家発電装置の駆動及び補助発電として使用も可能である。
【請求項４】
本発明は発電し既存のバッテリーを使用することにより緊急用の電力としても使用可能。
【請求項５】
本発明は、上部の貯蔵水槽と本体水槽、発電装置部分からなるが、本体水槽を増やす事により、発電容量も増加できる。
【発明の詳細な説明】
【技術分野】
【０００１】  本発明は発電機に関する。
【背景技術】
【０００２】  発電機は磁石と銅線のいずれかが回転することによる。【０００３】  その回転機構に関する。【０００４】  その回転の機構は、その駆動する発電機の出力に応じ鉄製の円球の落下する動力と空洞の円球の水中に於ける浮力を用いる。【０００５】  鉄製の円球は水中に於いてはアルキメデスの原理により浮いている。その水を少量ずつ減らしていく事により、その重力で時計も歯車の様に、歯車を回転させる。【０００６】  その歯車は時計の歯車の様に１秒を刻んでゆっくりと回転するが、その回転は大きな歯車によって増速され４００ｒｐｍから望みの回転まで速度を変化出来る。【０００７】  鉄球の重量は５ｋｇ〜５００ｋｇ迄いか様にも対応し、その重量の落下するトルクの許容そる範囲の発電機は発電する。【０００８】  この発電機構はビルとか住宅でも２階建以上の建物に設置する事を想定している。【０００９】  屋上に設けられた雨水の水槽より溜められた２階から３０階以上の建物に設置した縦長の水槽にあらかじめ鉄球を浮かせてある。【００１０】  その水を少量ずつ抜く事によって鉄球も落下する、その重量は水が抜かれた分だけ歯車を回転する。【００１１】  その水槽の水が抜ける迄その水量で歯車は一定の回転を行う。【００１２】  水がボトルになったら次は一定の量の水を供給するとその水によって再び鉄球は浮上を始め同じ様に規則的に歯車を廻す。
従って雨水を少量ずつ供給する事によって、その浮力により発電し又その水を少量ずつ流す事によって発電を続ける。【００１３】  より大きいトルクを必要とする場合は、落下させる場合をベルンの時計台の様に、その歯車で減速し一定の時間を空気中で落下させる。
浮力は鉄球の落下を重力でコントロールしたメカニズムを遂に利用し鉄球の浮上を止めて水槽にあらかじめ水を一杯にして、その強い浮力を小出しに出力し回転機構を回転する。
【発明の効果】
【００１４】  本発明が広まる事により地球規模での温暖化防止となる。
【発明の概要】
【発明が解決しようとする課題】
【００１５】  化石燃料を使わず、電気が来ていない場所でも使用できる。
【課題を解決するための手段】
【００１６】  大型の水槽を使用するため鉄骨などのしっかりとした安全な設置方法が必要。
【発明の効果】
【００１７】  本発明を使用すると、最初の水槽の水とその後の雨水などの補給で動かす事が出来るため、地球に優しいエコエネルギーである。従って地球温暖化防止、ＣＯ２削減し環境問題の解決となる。
【図面の簡単な説明】
【００１８】
【図１】  側面図である。
【発明を実施するための形態】
【００１９】  本発明を実施するために、先ずは高層ビルのオブジェのように水槽を透明にし、鉄球に色を付けカラフルに色づけされた鉄球が上下し発電する様を見せながら、そのビルなどの発電をする。
【産業上の利用可能性】
【００２０】  今現在、使用している電力料の大規模削減が出来るため、産業上の利用価値は大変高い。
【符号の説明】
【００２１】▲１▼  雨水などの貯蔵水槽
▲２▼  雨水または水
▲３▼  設置する建物（ビル）
▲４▼  鉄球のある水槽の水
▲５▼  鉄球の落下及び上昇により回転し発電機を動かす動力部（歯車）
▲６▼  鉄球
【図１】
2011226454.tif 000003
(57)【要約】      （修正有）【課題】強風や他物との接触による帽子の脱落を防ぐため、帽子に調節可能な脱落を防止する装置を設けた帽子を提供する。【解決手段】帽子の周囲に筒状の布１を設置し、これに伸縮性のあるひも２を通し、帽子表面部に露出したひも２の両端にひも２の露出部分の長さを調節可能な留め具３を設けた脱落防止装置付帽子を特徴とする。【選択図】図１
2011226038.tif 000002
【特許請求の範囲】
【請求項１】
装着者の頭部に合わせて調節可能な脱落防止装置を設けた帽子。
【発明の詳細な説明】
【技術分野】
【０００１】  本発明は、強風や他物との接触による脱落が発生しにくい帽子に関するものである。
【背景技術】
【０００２】  従来、帽子等の脱落防止装置としては、帽子の両側面下部に顎紐を設置するものや、帽子の後部に頭囲に合わせて締めることができるアジャスターを設置するものが存在した。
【発明の開示】
【発明が解決しようとする課題】
【０００３】  上記技術において、顎紐の付属は帽子の外観に影響しファッション性を損なうことも多い。また後部アジャスターには帽子の前部を締める効果はなく、脱落を防ぐ効果は大きくなかった。【０００４】  本発明は、以上のような問題を解決するためになされたものである。
【課題を解決するための手段】
【０００５】  帽子の周辺部全体に、布（１）を設置する。このとき、布（１）は帽子の周囲を一周し両端は帽子に固定せず筒状とする。また帽子の後部に筒状となった布（１）の口がある構造とする。【０００６】  筒状となった布（１）の開口部の一方に伸縮性のあるひも（２）を通し他方から出す。これをもって頭の周囲にひもが一周するよう設置する。【０００７】  ひも（２）の両端を帽子の表面後部に露出させ、これにひも（２）の両端を併せて固定する留め具（３）を設ける。本発明は、以上の構成によりなる、強風や接触による脱落が発生しにくい帽子である。
【発明の効果】
【０００８】  本発明を使用することにより、装着した帽子が脱落する可能性が減少する。具体的には、帽子装着時に筒状の布（１）に通してあるひも（２）の露出部を引き、これを留め具（３）により固定する。これをもって、帽子の周囲に設置されているひも（２）が締まることにより帽子が頭部に強く固定され、帽子の脱落の可能性を軽減することが可能となる。
【図面の簡単な説明】
【図１】本発明「飛ばされない帽子」の構成要素である布（１）、ひも（２）、および留め具（３）を設置した帽子の表面図である。
【図２】本発明「飛ばされない帽子」の構成要素である留め具（３）の拡大図である。
【発明を実施するための最良の形態】
【０００９】  以下、本発明を実施するための形態について説明する。
帽子の表面または裏面に、帽子の周囲を覆う形で布（１）を縫い付ける。このとき布（１）の両端は帽子の後部に設置し、布（１）の端同士は接触せず両端の間は１〜２ｃｍ程度とする。またこのとき帽子の縁やつばと平行な部分は布（１）の二辺に沿って隙間なく縫い付け、縁やつばと垂直な部分は中央を縫わずに布と帽子の間に空間ができる筒状の構造とする。
筒状となった布の開口部の一方から伸縮性のあるひも（２）を挿入し、このひも（２）は頭の周囲を一周し他方の開口部から先端が出る構造とする。このときひも（２）の先端、後端とも布（１）に覆われていない部分は４〜５ｃｍ程度とし、ひも（２）の両端は帽子の表面に露出する構造とする。
ひも（２）の両端に一個の留め具（３）を設置する。この留め具（３）は一個でひも（２）の両端を留められるものとする。また留め具（３）はひも（２）に接着されるものではなく、随時適宜の位置でひも（２）を固定できる構造のものとする。
本発明は、以上のような構造である。
これを使用するときは、使用者は帽子をかぶり、帽子後部に露出しているひも（２）を引き、ひも（２）に設置されている留め具（３）でひも（２）を固定することにより適当な圧力で帽子を頭部に固定し、帽子の脱落可能性を軽減することができる。
なお、帽子前部に装飾等があり、帽子を頭部に固定する際に装飾等が変形するおそれがある場合は、布（１）とひも（２）を側頭部にあたる部分付近で縫い合わせることでひも（２）と帽子の帽子前部での伸縮を防ぐことができる。
【符号の説明】
【００１０】１  布
２  ひも
３  留め具
【図１】
2011226038.tif 000003
【手続補正書】
【提出日】平成22年6月28日(2010.6.28)
【手続補正３】
【補正対象書類名】図面
【補正対象項目名】全図
【補正方法】変更
【補正の内容】
【図１】
2011226038.tif 000004
【図２】
2011226038.tif 000005
(57)【要約】【課題】  従来、襟巻きや肩掛けがずれ落ちないようにするため、首に掛けた襟巻きの左右片を合わせる部分の一方の片に設けた透孔や掛け紐に、他方の片を挿通したりボタンで掛け留めているが、喉元は自分の目で見ることができないので、手探りでするため不便であった。又肩掛け等は着用時に胸元や肩周辺で形を整えても外出中次第に形が崩れるのが気になった。【解決手段】  首に掛けた襟巻きや肩掛けの左右片を合わせる部分の一方の片に磁石を取着し、これに対する他方の片に磁石か又は磁石が吸着できる資材を取着し、又、磁石に代えて左右片を合わせる部分に一対の面ファスナーを取着しているので、磁石の場合は左右片を近ずけると双方の磁力が引き合って、自動的に吸着して襟巻きは非常に楽に装着され、又面ファスナーの場合は、左右片の面ファスナーが取着されている部分を合わせて押さえるだけでワンタッチ装着される。そして肩掛けを着用時に整えた形を維持することができる。【選択図】図１
2011226037.tif 000002
【特許請求の範囲】
【請求項１】
首に掛けた襟巻き及び肩掛けの左右片を喉元、胸元、肩周辺で合わせる部分の一方の片に磁石を、それに対応する他方の片に磁石、又は磁石が吸着できる資材を取着した襟巻き及び肩掛けの留め装置。
【請求項２】
首に掛けた襟巻き及び肩掛けの左右片を喉元、胸元、肩周辺で合わせる部分の一方の片に、面ファスナーの凹凸のどちらかを取着し、これに対応する他方の片に、前記面ファスナーが結合する面ファスナーを取着した襟巻き及び肩掛けの留め装置。
【発明の詳細な説明】
【技術分野】
【０００１】  本発明は、首周りに装着した襟巻き及び肩掛けがずれ落ちないように簡潔に留める装置に関するものである。【０００２】  従来、襟巻きを首周りに装着してずれ落ちないようにするため、首に掛けた襟巻きの左右どちらか一方の片に透孔又は掛け紐を設け、他方の片をその透孔や掛け紐に挿通したり、ボタンを設けて掛け留めることによってずれ落ちないように装着していた。
【発明の開示】
【発明が解決しようとする課題】
【０００３】  上述した従来の襟巻きの装着の方法は、首に掛けた襟巻きの左右片を喉元で合わせる部分の一方の片に設けた透孔や掛け紐に、他方の片を挿通したりボタンを掛け留めたりするが、喉元は自分の目で見ることができないので手探りでこの動作をするため、特に指先が少し不自由な人や幼児等は留めるのが少し困難であった。【０００４】  本発明は、首に掛けた襟巻きを喉元で合わせる部分の左右片の留め具を手探りで留める不便を解消して、襟巻きを非常に楽に着脱できるようにすることを目的とすると同時に、左右片を胸元で合わせる通常のマフラーや肩まで被覆する肩掛け等は、着用時に胸元や肩周辺の形を整えても、外出中時間が経つに従って形がずれて崩れるのを防ぐことを目的とするものである。
【課題を解決するための手段】
【０００５】  本発明は、首に掛けた襟巻きの左右片を喉元で合わせる部分に、面ファスナーの凹凸を対応できるように取着し、又、磁石の場合は左右片を合わせる部分の一方の片に磁石を取着し、それに対応する他方の片に磁石、又は磁石が吸着できる資材を取着している。又通常の胸元で合わせるマフラーや肩掛けの場合は、胸元や肩周辺にこの留め具を取着している。
【発明の効果】
【０００６】  上述したように本発明の襟巻きの留め装置は、自分で見ることができない喉元の留め具を手探りで留める不便を解消して、面ファスナーを取着した場合は、首に掛けた襟巻きの左右片に取着した面ファスナーの凹凸を合わせて押さえるだけで、襟巻きはワンタッチで正しく装着される。【０００７】  又、磁石を取着した場合は左右片を近ずけると、双方の磁石の磁力が引き合って自動的にお互いが吸着し、襟巻きは非常に楽に首に装着されてずれ落ちない。そして外す時は、合わせた襟巻きの左右片を反対方向に引くと容易に外れる。【０００８】  又、通常の左右片を胸元で合わせるマフラーや肩掛けは、着用時に左右片を胸元や肩周辺で合わせて形を整えるが、時間が経つに従って次第にずれて形が崩れ易いので、この留め装置を設けることで最初に整えた形を崩さずに維持することができる。【０００９】  そして、磁石は襟巻きや肩掛けの内側に縫いこんで外側から見えないようにすることができるので、ボタンや透孔、掛け紐等と共に、外見上見えない方がよいものを省くことができる。
【発明を実施するための最良の形態】
【００１０】  以下本発明の実施の形態を図面に基づいて説明する。【００１１】  図１、図２は首に密着するように巻く襟巻きで１は襟巻き本体である。３は首に掛けた襟巻きの左右片を喉元で合わせる部分の一方の片に取着した面ファスナーの凹凸のどちらか一方で、４は面ファスナー３に対応して結合する面ファスナーである。５は面ファスナー３に代えて取着した磁石で、６は磁石か又は磁石５が吸着できる資材である。図３はこの留め装置を設けることで着用時に整えた形を崩さずに維持することができる肩掛けで、１は肩掛け本体である。この場合は留め装置の位置は肩周辺でよく、胸元で左右片を合わせて形を整える通常のマフラーは留め装置の位置は胸元でよい。
【図面の簡単な説明】
【００１２】
【図１】  本発明留め装置を設けた襟巻きの正面図
【図２】  図１に示す襟巻きの装着した状態を示す正面図
【図３】  本発明留め装置を設けた肩掛けの装着した状態を示す正面図
【符号の説明】
【００１３】１        襟巻き
２        肩掛け
３        面ファスナー凹凸のどちらか一方
４        面ファスナー３に対応する面ファスナー
５        磁石
６        磁石、又は磁石が吸着できる資材
【図１】
2011226037.tif 000003
【図２】
2011226037.tif 000004
【図３】
2011226037.tif 000005